(57)【要約】【課題】携帯電話機等において、指の移動を少なくし、且つユーザが片手で簡単に文字入力を可能とすること。【解決手段】携帯電話機１００は、表示部１１２と、タッチパネル１０９と、表示制御部１１１と、を備える。表示制御部１１１は、表示部１１２に第１の文字群に属する文字を示すキーと、第２の文字群に属する文字を示すキーと、を配列して表示させるとともに、タッチパネル１０９に、第１の文字群に属する文字を示すキーのいずれかに対応した入力操作がなされた場合に、入力操作がなされた文字を示すキーに対応した文字を表示部１１２に表示させる。また、第２の文字群に属する文字を示すキーのいずれかに対応した入力操作がなされた場合に、第１の文字群に属する文字を示すキーのうちの、入力操作がなされた文字を示すキーに対応した第１の文字群に属する文字を示すキーを表示部１１２に表示させる。【選択図】図１
2013120968.tif 000002
【特許請求の範囲】
【請求項１】
第１の文字群に属する文字を示すキーと、第２の文字群に属する文字を示すキーと、を表示可能な表示部と、
前記第１の文字群に属する文字を示すキーと、前記第２の文字群に属する文字を示すキーと、に対応する操作を検出可能なタッチパネルと、
前記表示部に前記第１の文字群に属する文字を示すキーと、前記第２の文字群に属する文字を示すキーと、を配列して表示させるとともに、前記タッチパネルに、前記第１の文字群に属する文字を示すキーのいずれかに対応した入力操作がなされた場合に、前記入力操作がなされた文字を示すキーに対応した文字を前記表示部に表示させ、前記第２の文字群に属する文字を示すキーのいずれかに対応した入力操作がなされた場合に、前記第１の文字群に属する文字を示すキーのうちの、前記入力操作がなされた文字を示すキーに対応した前記第１の文字群に属する文字を示すキーを前記表示部に表示させる表示制御部と、
を備える携帯端末装置。
【請求項２】
前記表示制御部は、前記タッチパネルに、前記第１の文字群に属する文字を示すキーに沿った向きのスライド操作がなされた場合に、前記第１の文字群に属する文字を示すキーをスクロールさせ、前記タッチパネルに、前記第２の文字群に属する文字を示すキーに沿った向きのスライド操作がなされた場合に、前記第２の文字群に属する文字を示すキーをスクロールさせる
請求項１に記載の携帯端末装置。
【請求項３】
前記表示制御部は、前記第１の文字群に属する文字を示すキーをスクロールさせる場合に、前記第１の文字群に属する文字を示すキーのうち、前記表示部に表示させた前記第２の文字群に属する文字を示すキーに対応しない前記第１の文字群に属する文字を示すキーを前記表示部に表示させようとするときは、前記表示部に表示させようとする前記第１の文字群に属する文字を示すキーが前記第２の文字群に属する文字を示すキーに対応するように前記第２の文字群に属する文字を示すキーをスクロールさせる
請求項２に記載の携帯端末装置。
【請求項４】
前記表示制御部は、前記第２の文字群に属する文字を示すキーをスクロールさせる場合に、前記第２の文字群に属する文字を示すキーのうち、前記表示部に表示させた前記第１の文字群に属する文字を示すキーに対応しない前記第２の文字群に属する文字を示すキーを前記表示部に表示させようとするときは、前記第１の文字群に属する文字を示すキーが前記表示部に表示させようとする前記第２の文字群に属する文字を示すキーに対応するように前記第１の文字群に属する文字を示すキーをスクロールさせる
請求項２又は請求項３に記載の携帯端末装置。
【請求項５】
前記表示制御部は、前記表示部に表示された前記第２の文字群に属する文字を示すキーに対応する入力操作に基づいて、前記第１の文字群に属する文字を示すキーの文字として、大文字若しくは小文字、濁音若しくは半濁音、又は、半角若しくは全角を切替えて、表示させる
請求項１乃至請求項４のいずれか１項に記載の携帯端末装置。
【請求項６】
前記表示制御部は、メニューアイコンを表示させる
請求項１乃至請求項５のいずれか１項に記載の携帯端末装置。
【請求項７】
前記表示制御部は、前記メニューアイコンの選択により、前記第１の文字群に属する文字を示すキーを配列して表示させていた領域に、文字消去、空白の挿入、又は、濁点若しくは半濁点の付与のコマンドのアイコンを表示し、前記第２の文字群に属する文字を示すキーを配列して表示させていた領域に、少なくとも、ひらがな、カタカナ、アルファベット、記号、絵文字、数字、又は、入力文字の漢字変換のいずれかを含む文字入力のモードを切り替えるためのメニューアイコンを表示させる
請求項６に記載の携帯端末装置。
【請求項８】
前記表示制御部は、前記表示部のうち、入力操作がなされた文字を示すキーに対応した文字を表示する領域に入力される文字の表示位置を示すカーソルを表示し、前記カーソルに表示中の文字と異なる前記第１の文字群に属する文字を示すキーが選択された場合にカーソルの位置を更新して、入力操作がなされた文字を示すキーに対応した文字を表示し、前記コマンドの選択時に前記第１の文字群に属する文字を示すキーが選択された場合には、カーソル位置を更新せず、現在のカーソル位置にて前記コマンドを実行表示する
請求項７に記載の携帯端末装置。
【請求項９】
前記タッチパネルは、前記第１の文字群に属する文字を示すキーがスクロールしている場合は、前記第１の文字群に属する文字を示すキーに対応する入力操作を検出せず、前記第２の文字群に属する文字を示すキーがスクロールしている場合は、前記第２の文字群に属する文字を示すキーに対応する入力操作を検出しない
請求項１乃至請求項８のいずれか１項に記載の携帯端末装置。
【請求項１０】
前記表示制御部は、前記第１の文字群に属する文字を示すキー、又は、前記第１の文字群に属する文字を示すキーがスクロールしている場合において、前記タッチパネルがタップされたときは、前記第１の文字群に属する文字を示すキー、又は、前記第２の文字群に属する文字を示すキー、又は、その両方のスクロールを停止させる
請求項９に記載の携帯端末装置。
【請求項１１】
前記表示制御部は、前記表示部に前記第１の文字群に属する文字を示すキーと、前記第２の文字群に属する文字を示すキーと、を二重の円弧状に配列して表示させる
請求項１乃至請求項１０のいずれか１項に記載の携帯端末装置。
【請求項１２】
前記表示制御部は、前記表示部に前記第１の文字群に属する文字を示すキーと、前記第２の文字群に属する文字を示すキーと、を平行な２つの直線状に配列して表示させる
請求項１乃至請求項１０のいずれか１項に記載の携帯端末装置。
【請求項１３】
文字を示すキーを表示可能な表示部と、操作を検出可能なタッチパネルと、を備える電子機器における表示制御方法であって、
前記表示部に第１の文字群に属する文字を示すキーと、第２の文字群に属する文字を示すキーと、を配列して表示させるとともに、前記タッチパネルに、前記第１の文字群に属する文字を示すキーのいずれかに対応した入力操作がなされた場合に、前記入力操作がなされた文字を示すキーに対応した文字を前記表示部に表示させ、前記第２の文字群に属する文字を示すキーのいずれかに対応した入力操作がなされた場合に、前記第１の文字群に属する文字を示すキーのうちの、前記入力操作がなされた文字を示すキーに対応した前記第１の文字群に属する文字を示すキーを前記表示部に表示させる
表示制御方法。
【請求項１４】
文字を示すキーを表示可能な表示部と、操作を検出可能なタッチパネルと、を備える電子機器に、
前記表示部に第１の文字群に属する文字を示すキーと、第２の文字群に属する文字を示すキーと、を配列して表示させるとともに、前記タッチパネルに、前記第１の文字群に属する文字を示すキーのいずれかに対応した入力操作がなされた場合に、前記入力操作がなされた文字を示すキーに対応した文字を前記表示部に表示させ、前記第２の文字群に属する文字を示すキーのいずれかに対応した入力操作がなされた場合に、前記第１の文字群に属する文字を示すキーのうちの、前記入力操作がなされた文字を示すキーに対応した前記第１の文字群に属する文字を示すキーを前記表示部に表示させるステップ
を実行させるための表示制御プログラム。
【発明の詳細な説明】
【技術分野】
【０００１】
本発明は、携帯端末装置、表示制御方法及び表示制御プログラムに関するものであり、より具体的には、指の移動を少なくし、且つユーザが片手で簡単に文字入力を可能とする携帯端末装置、表示制御方法及び表示制御プログラムに関するものである。
【背景技術】
【０００２】
近年、携帯電話機、スマートフォン又はタブレットＰＣ等の電子機器のディスプレイにタッチパネルを設けたものが数多く存在する。それらの電子機器における操作性を向上させるものとして、例えば非特許文献１及び特許文献１が知られている。
【０００３】
非特許文献１の携帯端末は文字入力において、タッチパネル上にテンキー（従来の携帯電話機で使用されるハードウェアキーを模したキー配置）又はＱＷＥＲＴＹキー（ＰＣのキーボードを模したキー配置）のどちらかのソフトウェアキーボードを表示することにより、ユーザに従来操作と同様な文字入力を可能としている。
【０００４】
又、非特許文献１の携帯端末は、アプリケーションを使用するためのスタート画面において、タッチパネル上にアプリケーションへのショートカット及びフォルダのアイコンを円弧状に配列して表示することで、複数のメニュー又は当該各メニューを操作可能とするアイコンを、ユーザが片手でも簡単に操作可能にしている。
【０００５】
特許文献１の携帯端末は、文字入力において、「あ、か、・・・、わ」などの文字グループを表示するエリア１と、エリア１で選択されたグループに属する文字（例えばエリア１で「あ」が選択された場合には「あ、い、う、え、お」）を表示するエリア２を有し、エリア１とエリア２を縦に並べて配置し、各エリアに表示する文字は横１列に配置する。そして、文字エリア１でのタッチ点を開始点として、エリア１内での指のスライドによってエリア２に表示する文字の切替えを行い、エリア１からエリア２へのスライドとエリア２において指を離す動作により、指を離した位置に該当する文字を入力させる。これにより、特許文献１の携帯端末は、入力文字を選択するキーの表示領域を小さくすることを可能にしている。
【先行技術文献】
【特許文献】
【０００６】
【特許文献１】特開２０１１−０３４２８１号公報
【非特許文献】
【０００７】
【非特許文献１】「取扱説明書  Ｐ−０７Ｃ」パナソニックモバイルコミュニケーションズ株式会社（２０１１），ｐ２９，ｐ３６
【発明の概要】
【発明が解決しようとする課題】
【０００８】
多くの場合、携帯端末を片手で持ち、持ち手の親指によって操作を行うが、上述した非特許文献１の文字入力方法のうちテンキーでは「あ、か、さ、た、な、は、ま、や、ら、わ」の最低１０個のキーを常に表示させておく必要があり、ＱＷＥＲＴＹキーにいたってはＡ〜Ｚまでの最低２６個のキーを常に表示させておく必要がある。小型化が進む携帯端末において、上述したキーの数を画面に表示させることは結果的に１つ１つのキーを小さくさせることになり、加えて、タッチパネルでは押した感覚が得られないことから、押し間違いが増加する。従って、多くの人が片方の手で携帯端末を持ち、もう一方の手の人差し指などで入力を行う場合があり、両手がふさがってしまう課題がある。
【０００９】
一方で、上述した非特許文献１のメニューアイコン表示は、片手での操作を可能とするものであるが、あくまでメニュー選択操作に限られ、近年の携帯端末に欠かすことのできない文字入力操作について記載されていない。このため、例えばメールアプリケーションを上述のメニュー操作により片手で起動したとしても、メール本文の文字入力は結果的に両手で行う場合があり、完全な片手操作を可能としていない。
【００１０】
又、上述した特許文献１も同様に、常にエリア１に文字グループを表示し、エリア２にグループに属する文字を表示する必要があるため１つ１つのキーが小さくなり誤入力が生じやすい。加えて、「タッチ、スライド、離す」の動作によって文字入力を行うため、例えば「あん」と入力する際に画面の端から端まで指を移動させる必要があり、指の短い人では届かず、片手での操作が困難となる。又、「ああ」のように同じ文字を繰り返して入力する場合においては、再度エリア１からスライド動作を開始する必要があり、入力に手間がかかってしまう。
【００１１】
本発明は、上述した従来の課題の少なくともいずれかを解決するもので、指の移動を少なくし、且つユーザが片手で簡単に文字入力を可能とする様に表示する携帯端末装置、表示制御方法及び表示制御プログラムを提供することを目的とする。
【課題を解決するための手段】
【００１２】
前記従来の課題を解決するために、本発明の携帯端末装置は、第１の文字群に属する文字を示すキーと、第２の文字群に属する文字を示すキーと、を表示可能な表示部と、前記第１の文字群に属する文字を示すキーと、前記第２の文字群に属する文字を示すキーと、に対応する操作を検出可能なタッチパネルと、前記表示部に前記第１の文字群に属する文字を示すキーと、前記第２の文字群に属する文字を示すキーと、を配列して表示させるとともに、前記タッチパネルに、前記第１の文字群に属する文字を示すキーのいずれかに対応した入力操作がなされた場合に、前記入力操作がなされた文字を示すキーに対応した文字を前記表示部に表示させ、前記第２の文字群に属する文字を示すキーのいずれかに対応した入力操作がなされた場合に、前記第１の文字群に属する文字を示すキーのうちの、前記入力操作がなされた文字を示すキーに対応した前記第１の文字群に属する文字を示すキーを前記表示部に表示させる表示制御部と、を備える。
【００１３】
この構成によれば、指の移動を少なくし、且つユーザが片手で簡単に文字入力を可能とすることができる。
【００１４】
また、本発明の表示制御方法は、文字を示すキーを表示可能な表示部と、操作を検出可能なタッチパネルと、を備える電子機器における表示制御方法であって、前記表示部に第１の文字群に属する文字を示すキーと、第２の文字群に属する文字を示すキーと、を配列して表示させるとともに、前記タッチパネルに、前記第１の文字群に属する文字を示すキーのいずれかに対応した入力操作がなされた場合に、前記入力操作がなされた文字を示すキーに対応した文字を前記表示部に表示させ、前記第２の文字群に属する文字を示すキーのいずれかに対応した入力操作がなされた場合に、前記第１の文字群に属する文字を示すキーのうちの、前記入力操作がなされた文字を示すキーに対応した前記第１の文字群に属する文字を示すキーを前記表示部に表示させる。
【００１５】
この表示制御方法によれば、指の移動を少なくし、且つユーザが片手で簡単に文字入力を可能とすることができる。
【００１６】
また、本発明の表示制御プログラムは、文字を示すキーを表示可能な表示部と、操作を検出可能なタッチパネルと、を備える電子機器に、前記表示部に第１の文字群に属する文字を示すキーと、第２の文字群に属する文字を示すキーと、を配列して表示させるとともに、前記タッチパネルに、前記第１の文字群に属する文字を示すキーのいずれかに対応した入力操作がなされた場合に、前記入力操作がなされた文字を示すキーに対応した文字を前記表示部に表示させ、前記第２の文字群に属する文字を示すキーのいずれかに対応した入力操作がなされた場合に、前記第１の文字群に属する文字を示すキーのうちの、前記入力操作がなされた文字を示すキーに対応した前記第１の文字群に属する文字を示すキーを前記表示部に表示させるステップを実行させるための表示制御プログラムである。
【００１７】
この表示制御プログラムによれば、指の移動を少なくし、且つユーザが片手で簡単に文字入力を可能とすることができる。
【発明の効果】
【００１８】
本発明に係る携帯端末装置、表示制御方法及び表示制御プログラムによれば、指の移動を少なくし、且つユーザが片手で簡単に文字入力を可能とすることができる。
【図面の簡単な説明】
【００１９】
【図１】本発明の第１の実施形態における携帯電話機のハードウェア構成の一例を示すブロック図
【図２】各文字キーの関係を模式的に示した説明図
【図３】各文字キー情報をテーブル形式で示した説明図
【図４】かな入力モード時（ｉ＝１）に参照される文字キー情報ＫＴのテーブルを示した説明図
【図５】第１の文字群に属する文字を示すキーと、第２の文字群に属する文字を示すキーとメニューアイコンと入力文字が表示される表示領域、及び、第１の文字群に属する文字を示すキーと、第２の文字群に属する文字を示すキーが円弧状に配列して表示された状況の一例を示す説明図
【図６】第１の文字群に属する文字を示すキーと、第２の文字群に属する文字を示すキーを円弧状に配列し、各キーを選択した場合の表示内容を示す説明図、（ａ）文字入力画面の状況を示す説明図、（ｂ）第２の文字群に属する文字を示すキーを選択した場合の表示内容を示す説明図、（ｃ）第１の文字群に属する文字を選択した場合の表示内容を示す説明図、（ｄ）第１の文字群に属する文字を示すキーを選択した後に再度同じ第１の文字群に属する文字を示すキーを選択した場合の表示内容を示す説明図
【図７】第１の文字群に属する文字を示すキーと、第２の文字群に属する文字を示すキーを円弧状に配列し、各キーの回転スクロールの状況を示す説明図、（ａ）文字入力画面の状況を示す説明図、（ｂ）（ａ）の画面から、第１の文字群に属する文字を示すキーを円弧状の配列に沿って左方向に回転スクロールした状況を示す説明図、（ｃ）（ａ）の画面から、第２の文字群に属する文字を示すキーを円弧状の配列に沿って左方向に回転スクロールした状況を示す説明図
【図８】第１の文字群に属する文字を示すキーと、第２の文字群に属する文字を示すキーを円弧状に配列し、第１の文字群に属する文字を示すキーの回転スクロールの状況によって、第２の文字群に属する文字を示すキーを回転スクロールする、キーエリアの状況を示した説明図、（ａ）キーのスクロール前の文字入力画面の状況を示す説明図、（ｂ）（ａ）の画面から、第１の文字群に属する文字を示すキーを円弧状の配列に沿って左方向に回転スクロールした状況を示す説明図、（ｃ）（ｂ）の画面から、第１の文字群に属する文字を示すキーを円弧状の配列に沿って左方向に回転スクロールし、スクロールの状況によって、第２の文字群に属する文字を示すキーを回転スクロールした状況を示す説明図
【図９】第１の文字群に属する文字を示すキーと、第２の文字群に属する文字を示すキーを円弧状に配列し、第２の文字群に属する文字を示すキーの回転スクロールの状況によって、第１の文字群に属する文字を示すキーを回転スクロールする、キーエリアの状況を示した説明図、（ａ）キーのスクロール前の文字入力画面の状況を示す説明図、（ｂ）（ａ）の画面から、第２の文字群に属する文字を示すキーを円弧状の配列に沿って左方向に回転し、スクロールの状況によって、第１の文字群に属する文字を示すキーを回転スクロールした状況スクロールした状況を示す説明図、（ｃ）（ｂ）の画面から、第２の文字群に属する文字を示すキーを円弧状の配列に沿って右方向に回転スクロールした状況を示す説明図
【図１０】第１の文字群に属する文字を示すキーと、第２の文字群に属する文字を示すキーを円弧状に配列し、同一の第２の文字群に属する文字を示すキーを連続して選択した場合の表示内容を示す説明図、（ａ）文字入力画面の状況を示す説明図、（ｂ）（ａ）の画面から、第２の文字群に属する文字を示すキーを選択した場合の表示内容を示す説明図、（ｃ）（ｂ）の画面から、再度同じ第２の文字群に属する文字を示すキーを選択した場合の表示内容を示す説明図、（ｄ）第２の文字群に属する文字を示すキーを連続して選択した場合の表示切り替え動作内容を示す説明図
【図１１】第１の文字群に属する文字を示すキーと、第２の文字群に属する文字を示すキーを円弧状に配列し、メニューアイコンを表示し、メニューアイコンを選択した場合の表示内容を示す説明図、（ａ）「はは」の文字が入力された状況を示す説明図、（ｂ）（ａ）の画面から、メニューアイコンを選択した場合の表示内容を示す説明図、（ｃ）（ｂ）の画面から、「クリア」を選択した場合の表示内容を示す説明図、（ｄ）（ｂ）の画面から、「漢字」を選択した場合の表示内容を示す説明図
【図１２】第１の実施形態の携帯電話機の動作を説明するフローチャート
【図１３】第１の実施形態の携帯電話機の表示領域ＡＲ２上での動作を説明するフローチャート
【図１４】第１の実施形態の携帯電話機の表示領域ＡＲ１上での動作を説明するフローチャート
【図１５】第１の実施形態の携帯電話機の表示領域ＡＲ１および表示領域ＡＲ２上でのスクロールの動作を説明するフローチャート
【図１６】第１の実施形態の変形例１における、第１の文字群に属する文字を示すキーと、第２の文字群に属する文字を示すキーとメニューアイコンと入力文字が表示される表示領域、及び、第１の文字群に属する文字を示すキーと、第２の文字群に属する文字を示すキーが平行な２つの直線状に配列して表示された状況の一例を示す説明図、（ａ）第１の文字群に属する文字を示すキーと、第２の文字群に属する文字を示すキーとメニューアイコンと入力文字が表示される表示領域、及び、第１の文字群に属する文字を示すキーと、第２の文字群に属する文字を示すキーが縦に平行な２つの直線状に配列して表示された状況の一例を示す説明図、（ｂ）第１の文字群に属する文字を示すキーと、第２の文字群に属する文字を示すキーとメニューアイコンと入力文字が表示される表示領域、及び、第１の文字群に属する文字を示すキーと、第２の文字群に属する文字を示すキーが横に平行な２つの直線状に配列して表示された状況の一例を示す説明図
【図１７】第１の実施形態の変形例２における第１の文字群に属する文字を示すキーと、第２の文字群に属する文字を示すキーとメニューアイコンと入力文字が表示される表示領域、及び、第１の文字群に属する文字を示すキーと、第２の文字群に属する文字を示すキーが円弧状に配列して表示された状況の一例を示す説明図
【発明を実施するための形態】
【００２０】
以下、本発明に係る携帯端末装置の各実施形態について、図面を参照して説明する。以下の各実施形態においては、本発明に係る携帯端末装置として、携帯電話機を例示して説明する。但し、本発明に係る携帯端末装置は、携帯電話機に限定されず、例えばスマートフォン、ＰＤＡ（Personal  Digital  Assistant）、又は電子書籍端末等でも良い。
【００２１】
なお、本発明は、携帯電話機の様な装置、又は当該装置をコンピュータとして動作させるためのプログラムとして表現することが可能であり、更に、当該携帯電話機により実行される処理（ステップ）を含む方法として表現することも可能である。即ち、本発明は、装置、方法及びプログラムのうちいずれのカテゴリーでも表現可能である。
【００２２】
以下の各実施形態において、当該携帯電話機に対する入力操作には、ユーザの指のタッチパネルへのタッチ操作、スライド操作及びタップ操作等を含むものとする。なお、タッチ操作には、画面の項目やアイコンを指で暫くの間押さえたままにするロングタッチ操作、および、タップ操作には、当該タップ操作を短時間の間に２回連続して行われるダブルタップ操作も含まれる。
【００２３】
又、以下の各実施形態において、ユーザが入力する文字として選択した文字キーおよび選択して表示部１１２に表示した文字を「入力文字」と定義する。
【００２４】
以下、本発明を実施するための形態について、図面を参照しながら説明する。
【００２５】
（第１の実施形態）
第１の実施形態の携帯電話機１００は、文字入力画面において、表示部１１２に第１の文字群に属する文字を示すキーと、第２の文字群に属する文字を示すキーを予め定められた所定の表示領域に配列して表示する。更に、当該携帯電話機１００は、上述したいずれかの入力操作に応じて当該文字キーの選択又は文字入力を可能とするために、当該所定の表示領域において当該文字キーを配列して表示する。
【００２６】
１．第１の実施形態の携帯電話機の構成に関する説明
図１は、第１の実施形態の携帯電話機１００のハードウェア構成の一例を示すブロック図である。図１に示す様に、携帯電話機１００は、制御部１０１、電源ボタン１０２、電源回路部１０３、音声制御部１０４、スピーカ１０５、マイク１０６、通信制御部１０７、入力制御部１０８、タッチパネル１０９、記憶部１１０、表示制御部１１１、及び表示部１１２を備える。
【００２７】
制御部１０１は、携帯電話機１００に内蔵されるＣＰＵ（Central  Processing  Unit）、ＤＳＰ（Digital  Signal  Processor）、ＲＡＭ（Random  Access  Memory）及びＲＯＭ（Read  Only  Memory）等で構成され、携帯電話機１００の各部の動作を制御する。又、制御部１０１は、入力制御部１０８で検出された入力操作に応じて、表示部１１２に表示されたメニュー又はアイコン又は文字キーの選択を制御する。なお、制御部１０１の動作の詳細に関しては後述する。
【００２８】
電源ボタン１０２は、ユーザが当該電源ボタン１０２を所定時間の間に継続的に押下した場合に、携帯電話機１００の電源のＯＮ状態又はＯＦＦ状態を切り替えるための電源制御信号を電源回路部１０３に出力する。
【００２９】
電源回路部１０３は、電源ボタン１０２により出力された電源制御信号を入力する。電源回路部１０３は、電源がＯＮ状態となる場合には、当該入力された電源制御信号に応じて、携帯電話機１００に内蔵されている電力供給源又は外部に接続されている電力供給源から各部に電力を供給して携帯電話機１００を動作可能にする。
【００３０】
又、電源回路部１０３は、電源がＯＦＦ状態となる場合には、当該入力された電源制御信号に応じて、携帯電話機１００に内蔵されている電源供給源又は外部に接続されている電源供給源から各部への電力の供給を停止して携帯電話機１００を動作不能にする。
【００３１】
音声制御部１０４は、制御部１０１の制御の下、制御処理の進行の中で発生させるべき効果音や音声データの生成およびアナログ音声信号への変換を行い、これに対応した音声又は効果音をスピーカ１０５から出力させる。
【００３２】
又、音声制御部１０４は、マイク１０６から入力されるアナログ音声信号を受け付け、当該アナログ音声信号を変換する。この場合、当該マイク１０６を介して入力されたアナログ音声信号は、通信制御部１０７により、変調されて、アンテナ１１３を介して不図示の基地局に送信される。
【００３３】
スピーカ１０５は、例えば、音声信号に従って所定の音声や効果音等を出力する。
【００３４】
マイク１０６は、例えば、ユーザ音声や外部音声を受け付ける。
【００３５】
通信制御部１０７は、アンテナ１１３を介して基地局と通信し、当該アンテナ１１３を介して受信した受信信号を復調して制御部１０１に出力する。この復調されたデータは、制御部１０１により、表示制御部１１１を介して表示部１１２に表示され、又は記憶部１１０に記憶される。
【００３６】
又、通信制御部１０７は、タッチパネル１０９を介して入力されたデータ又は記憶部１１０に記憶されたデータを取得した場合、アンテナ１１３を介して、当該データを基地局に送信する。
【００３７】
入力制御部１０８は、タッチパネル１０９に対する入力操作を検出する。入力制御部１０８は、当該タッチパネル１０９に対する入力操作として例えばタッチ操作が行われた場合に、当該タッチ操作によって当該タッチパネル１０９にかかる圧力を検出し、当該検出された位置（座標）を示す信号を生成して制御部１０１に出力する。
【００３８】
タッチパネル１０９は、後述する表示部１１２の上面に配置され、文字、画像、映像或いはその組合せ等からなる画面に対して、ユーザの指又はスタイラスペンの入力操作が行われるためのディスプレイである。タッチパネル１０９は、表示部１１２の上に、例えば当該入力操作を検出するための素子が複数配置され、更に当該素子の上に透明なスクリーンが積層されることで形成可能である。
【００３９】
又、タッチパネル１０９に対する入力操作の検出には、例えば、抵抗膜方式、又は静電気による電気信号を検出する静電容量結合式が採用可能であり、更には、抵抗膜方式、赤外線を用いた光学式等が採用されても良い。
【００４０】
記憶部１１０は、データの読み書きが自由な記憶装置であり、制御部１０１又は表示制御部１１１により実行される各プログラム、及び当該各プログラムで利用される種々のデータを記憶する。記憶部１１０は、制御部１０１及び表示制御部１１１の各動作が予め規定された各プログラムをそれぞれ記憶している。
【００４１】
又、記憶部１１０は、表示部１１２に表示する文字キー情報ＫＴのテーブル（図３参照）を記憶している。
【００４２】
以下の各実施形態において、携帯電話機１００で選択可能な各文字キーは、図２に示す様に、第１の文字群に属する文字を示すキーと、第２の文字群に属する文字を示すキーとを有する様に予め規定されている。この文字キーの関係について、図２、図３及び図４を参照して説明する。図２は、表示する文字キーの関係を模式的に示した説明図である。図３は、各文字キー情報ＫＴをテーブル形式で示した説明図である。図４は、各文字キー情報ＫＴのうち、かな入力モード時（ｉ＝１）に参照される文字キー情報ＫＴのテーブルの詳細を示した説明図である。
【００４３】
以下の各実施形態において、本発明に係る携帯端末装置の一例である携帯電話機で表示部１１２に表示する文字キーは、第１の文字群に属する文字を示すキーと、第２の文字群に属する文字を示すキーとを有する様に予め規定されている。文字キーの識別情報（ＩＤ）を文字ＩＤと定義し、文字ＩＤは（ｉ，ｊ，ｋ１，ｋ２）の４つのパラメータで決定される。図２において、第２の文字群に属する文字を示すキーの文字ＩＤを「文字ＩＤ＝（ｉ，ｊ）」と示し、第１の文字群に属する文字を示すキーの文字ＩＤを「文字ＩＤ＝（ｉ，ｊ，ｋ１，ｋ２）」と示す。
【００４４】
以下の各実施形態において、第２の文字群に属する文字を示すキーを符号ＭＪ(i，j)で表し、第１の文字群に属する文字を示すキーを符号ＭＪ(i，j，k1，k2)で表す。符号ＭＪのパラメータｉ，ｊ，ｋ１，ｋ２はそれぞれ自然数であり、パラメータｉ，ｊ，ｋ１，ｋ２に応じて、表示する文字キーが定まる。
【００４５】
パラメータｉは入力モードを表し、例えば、図３に示すように、パラメータｉ＝１である場合には、かな入力モードとなる。又、パラメータｉ＝２である場合にはカナ入力モードとなる。同様にして、パラメータｉの値に応じて、アルファベット入力モード、記号入力モード、絵文字入力モード、数字入力モード、漢字変換入力モード、メニュー選択入力モードとなる。
【００４６】
パラメータｊは、図４に示すように、例えば、パラメータｉ＝１のかな入力モードの場合で、パラメータｊ＝１である場合には、「ＭＪ(１，１)＝あ」となり、「あ行」を示す「あ」を、第２の文字群に属する文字を示すキーに示す。同様にして、パラメータｊ＝２である場合には、（ｉ，ｊ）＝（１，２）となり、「か行」を示す「か」・・・（ｉ，ｊ）＝（１，１０）で「わ行」を示す「わ」を第２の文字群に属する文字を示すキーに示す。又、（ｉ，ｊ）＝（１，１１）に「、。？」のように、文字入力において多用する、句点（、）及び読点（。）などの記号を表すキーを、各入力モードの第２の文字群に属する文字を示すキーの最後（パラメータｊの終端）に用意しても良い。
【００４７】
パラメータｋ１及びｋ２は第１の文字群に属する文字を示すキーに表示する内容を決定する際に使用される。パラメータｋ１は第１の文字群に属する文字を示すキーの入力モードの指定に使用され、図４に示すように、例えば、ｋ１＝１でdefault入力となる。default入力は、例えば、（ｉ，ｊ）＝（１，１）の場合、あ行に属する文字（あ、い、う、え、お）の大文字入力（あ、い、う、え、お）を指定することとなる。ｋ１＝２の場合には第１の文字群に属する文字を示すキーの入力モードに小文字を指定し、（ぁ、ぃ、ぅ、ぇ、ぉ）を指定することとなる。同様にして、は行の場合には、ｋ１＝１でdefault（は、ひ、ふ、へ、ほ）を示し、ｋ１＝２で濁音（ば、び、ぶ、べ、ぼ）、ｋ１＝３で半濁音（ぱ、ぴ、ぷ、ぺ、ぽ）を指定する。但し、パラメータｋ１による入力モードの切り替えは上述したものに限定されない。
【００４８】
パラメータｋ２はパラメータ（ｉ，ｊ，ｋ１）に属する内容を詳細に決定するために使用される。例えば、（ｉ，ｊ，ｋ１）＝（１，１，１）の場合、あ行に属する内容を示す。具体的には、ｋ２＝１で「あ」を示し、ｋ２＝２で「い」を示す。但し、パラメータｋ２の表示内容は上述したものに限定されない。
【００４９】
又、記憶部１１０は、当該制御部１０１又は表示制御部１１１の各動作におけるワークメモリに利用されても良い。
【００５０】
なお、制御部１０１及び表示制御部１１１は、ハードウェア又はソフトウェアで構成することが可能である。特に、これらがソフトウェアにより構成される際には、携帯電話機１００に内蔵されているＣＰＵが当該制御部１０１及び表示制御部１１１の各動作が予め規定された各プログラムを記憶部１１０から読み込むことで、当該制御部１０１及び表示制御部１１１が動作可能となる。
【００５１】
表示制御部１１１は、制御部１０１により出力された指示に応じて、文字、画像、映像及びその組合せ等からなる画面を表示部１１２に表示する様に当該表示部１１２を制御する。なお、表示制御部１１１の動作の詳細に関しては後述する。
【００５２】
表示部１１２は、例えば携帯電話機１００のＬＣＤ（Liquid  Crystal  Display）により構成され、表示制御部１１１の制御の下で、表示対象となる画面を表示する。
【００５３】
２．第１の実施形態の携帯電話機の表示部に表示される各画面に関する説明
次に、第１の実施形態の携帯電話機１００の表示部１１２に表示される各画面について、図５〜１１を参照して説明する。
【００５４】
図５は、文字キーＭＪ、メニューアイコンＩＣｍ、文字キーＭＪのうち第１の文字群に属する文字を示す文字キーが表示される表示領域ＡＲ１、文字キーＭＪのうち第２の文字群に属する文字を示す文字キーが表示される表示領域ＡＲ２、メニューアイコンＩＣｍが表示される表示領域ＡＲ３、入力文字のうち、変換または確定待ち入力文字Ｗｔが表示される表示領域を示す入力文字表示領域ＩＮ、入力文字の表示位置を示すカーソルである入力文字の表示位置カーソルＩＮｐなどの一例を示す説明図である。図５は、文字キーＭＪのうち第１の文字群に属する文字を示す文字キー（以下、文字キーを単にキーと呼ぶ場合もある）と、文字キーＭＪのうち第２の文字群に属する文字を示す文字キー（以下、文字キーを単にキーと呼ぶ場合もある）が円弧状に配列して表示された状況の一例を示す。
【００５５】
図６は、第１の文字群に属する文字を示すキーと、第２の文字群に属する文字を示すキーを円弧状に配列し、各キーを選択した場合の表示内容を示す説明図である。同図（ａ）は、文字入力画面の状況を示す説明図である。同図（ｂ）は、第２の文字群に属する文字を示すキーを選択した場合の表示内容を示す説明図である。同図（ｃ）は、入力文字のうち、変換または確定待ち入力文字Ｗｔと、第１の文字群に属する文字を選択した場合の表示内容を示す説明図である。同図（ｄ）は、第１の文字群に属する文字を示すキーを選択した後に再度同じ第１の文字群に属する文字を示すキーを選択した場合の表示内容を示す説明図である。
【００５６】
図７は、第１の文字群に属する文字を示すキーと、第２の文字群に属する文字を示すキーを円弧状に配列し、各キーの回転スクロールの状況を示す説明図である。同図（ａ）は、文字入力画面の状況を示す説明図である。同図（ｂ）は、図７（ａ）の画面から、第１の文字群に属する文字を示すキーを円弧状の配列に沿って左方向に回転スクロールした状況を示す説明図である。同図（ｃ）は、図７（ａ）の画面から、第２の文字群に属する文字を示すキーを円弧状の配列に沿って左方向に回転スクロールした状況を示す説明図である。
【００５７】
図８は、第１の文字群に属する文字を示すキーと、第２の文字群に属する文字を示すキーを円弧状に配列し、第１の文字群に属する文字を示すキーの回転スクロールの状況によって、第２の文字群に属する文字を示すキーを回転スクロールする、キーエリアの状況を示した説明図である。同図（ａ）は、キーのスクロール前の文字入力画面の状況を示す説明図である。同図（ｂ）は、図８（ａ）の画面から、第１の文字群に属する文字を示すキーを円弧状の配列に沿って左方向に回転スクロールした状況を示す説明図である。同図（ｃ）は、図８（ｂ）の画面から、第１の文字群に属する文字を示すキーを円弧状の配列に沿って左方向に回転スクロールし、スクロールの状況によって、第２の文字群に属する文字を示すキーを回転スクロールした状況を示す説明図である。
【００５８】
図９は、第１の文字群に属する文字を示すキーと、第２の文字群に属する文字を示すキーを円弧状に配列し、第２の文字群に属する文字を示すキーの回転スクロールの状況によって、第１の文字群に属する文字を示すキーを回転スクロールする、キーエリアの状況を示した説明図である。同図（ａ）は、キーのスクロール前の文字入力画面の状況を示す説明図である。同図（ｂ）は、図９（ａ）の画面から、第２の文字群に属する文字を示すキーを円弧状の配列に沿って左方向に回転し、スクロールの状況によって、第１の文字群に属する文字を示すキーを回転スクロールした状況スクロールした状況を示す説明図である。同図（ｃ）は、図９（ｂ）の画面から、第２の文字群に属する文字を示すキーを円弧状の配列に沿って右方向に回転スクロールした状況を示す説明図である。
【００５９】
図１０は、第１の文字群に属する文字を示すキーと、第２の文字群に属する文字を示すキーを円弧状に配列し、同一の第２の文字群に属する文字を示すキーを連続して選択した場合の表示内容を示す説明図である。同図（ａ）は、文字入力画面の状況を示す説明図である。同図（ｂ）は、図１０（ａ）の画面から、第２の文字群に属する文字を示すキーを選択した場合の表示内容を示す説明図である。同図（ｃ）は、図１０（ｂ）の画面から、再度同じ第２の文字群に属する文字を示すキーを選択した場合の表示内容を示す説明図である。同図（ｄ）は、第２の文字群に属する文字を示すキーを連続して選択した場合の表示切り替え動作の一例を示す説明図である。
【００６０】
図１１は、第１の文字群に属する文字を示すキーと、第２の文字群に属する文字を示すキーを円弧状に配列し、メニューアイコンを表示し、メニューアイコンを選択した場合の表示内容を示す説明図である。同図（ａ）は、「はは」の文字が入力された状況を示す説明図である。同図（ｂ）は、（ａ）の画面から、メニューアイコンを選択した場合の表示内容を示す説明図である。同図（ｃ）は、（ｂ）の画面から、「変換」を選択した場合の表示内容を示す説明図である。
【００６１】
図５において、表示部１１２の同図紙面右下の端点を原点（０，０）、当該原点を起点に同図紙面左方向にｘ軸、及び同図紙面上方向にｙ軸を設けるとする。なお、特段の説明がない限り、表示部１１２を示した他の図面においても同様の原点、ｘ軸及びｙ軸が適用可能である。
【００６２】
図５において、座標（ｘ５，０）、座標（ｘ４，０）、座標（０，ｙ５）及び座標（０，ｙ４）で円弧状に囲まれる領域は、携帯電話機１００により、上述した第１の文字群に属する文字を示すキーを円弧状に配列して表示する場合の表示領域ＡＲ１である。又、座標（ｘ３，０）、座標（ｘ２，０）、座標（０，ｙ３）及び座標（０，ｙ２）で円弧状に囲まれる領域は、携帯電話機１００により、上述した第２の文字群に属する文字を示すキーを円弧状に配列して表示する場合の表示領域ＡＲ２である。但し、座標及び表示領域ＡＲ１、表示領域ＡＲ２は上述した円弧状のものに限定されず、後述する平行な２つの直線状に配列して表示させても良い。
【００６３】
第１の実施形態では、携帯電話機１００のユーザが例えば右利きである場合に当該ユーザが片手で操作し易くなる様に、表示領域ＡＲ１、表示領域ＡＲ２が定められる。なお、表示領域ＡＲ１及び表示領域ＡＲ２は、表示部１１２の表示領域の全体ではなく、当該表示領域の一部として例えば表示部１１２の右下の所定の範囲であることが好ましい。これにより、ユーザは、例えば、片手（右手）による操作を簡単に行うことができる。このように、表示制御部１１１は、第１の文字群に属する文字を示すキーと第２の文字群に属する文字を示すキーを、表示部１１２の右下の一部の表示領域に例えば、円弧状に配列して表示させる。
【００６４】
このことにより、例えば、ユーザは、ユーザの右手の手のひらで携帯電話機１００の右下の角を支えた状態で右手だけで（片手で）操作しても、携帯電話機１００の下側が支えられているので、表示部１１２が斜めに傾いたり、携帯電話機１００を下に落としたりする心配をしないで安心して操作することができる。又、ユーザが、この状態で操作した場合に、当該ユーザの指が十分に届く様に操作しやすい位置に第１の文字群に属する文字を示すキーと第２の文字群に属する文字を示すキーが表示されることになる。
【００６５】
これらの表示領域ＡＲ１及び表示領域ＡＲ２を定める各座標に関するデータは、表示制御部１１１の動作において予め規定されていても良い。又は、これらの各座標に関するデータは記憶部１１０に記憶されても良く、表示制御部１１１は当該文字キーを配列して表示する際、当該各座標に関するデータを記憶部１１０から読み出して表示領域ＡＲ１及び表示領域ＡＲ２を定めても良い。
【００６６】
図５において、ユーザ操作により文字入力画面が起動された場合、携帯電話機１００は、上述した表示領域ＡＲ１に第１の文字群に属する文字を示す文字キーＭＪ（ｉ，ｊ，ｋ１，ｋ２）および、表示領域ＡＲ２に第２の文字群に属する文字を示す文字キーＭＪ（ｉ，ｊ）を表示する。なお、表示領域ＡＲ１および表示領域ＡＲ２に表示する各文字キーは、図５のように円弧状に配列しても、後述する平行な２つの直線状に配列して表示させても良い。
【００６７】
又、文字入力中および前述した文字ＩＤのパラメータｉに応じて、入力モードが切り替えられた場合においても同様である。
【００６８】
図５において、表示部１１２の表示領域ＡＲ１に相当する表示領域内には、第１の文字群に属する文字を示す文字キーＭＪ（ｉ，ｊ，ｋ１，ｋ２）〜ＭＪ（ｉ，ｊ，ｋ１，ｋ２＋４）に対応する文字キーを、表示領域ＡＲ２に相当する表示領域内には、第２の文字群に属する文字を示す文字キーＭＪ（ｉ，ｊ）〜ＭＪ（ｉ，ｊ＋２）に対応する文字キーを選択可能に、円弧状に配列して表示されている。円弧状に配列して表示される各文字キーは、当該各文字キーに対応する各文字キーの各文字ＩＤが連続する様にして表示される。例えば図５には、第１の文字群に属する文字を示すキーには、文字ＩＤ「ｉ，ｊ，ｋ１，ｋ２」の文字キーＭＪ（ｉ，ｊ，ｋ１，ｋ２）、文字ＩＤ「ｉ，ｊ，ｋ１，ｋ２＋１」の文字キーＭＪ（ｉ，ｊ，ｋ１，ｋ２＋１）、文字ＩＤ「ｉ，ｊ，ｋ１，ｋ２＋２」の文字キーＭＪ（ｉ，ｊ，ｋ１，ｋ２＋２）、文字ＩＤ「ｉ，ｊ，ｋ１，ｋ２＋３」の文字キーＭＪ（ｉ，ｊ，ｋ１，ｋ２＋３）、文字ＩＤ「ｉ，ｊ，ｋ１，ｋ２＋４」の文字キーＭＪ（ｉ，ｊ，ｋ１，ｋ２＋４）という様に表示され、又、第２の文字群に属する文字を示すキーには、文字ＩＤ「ｉ，ｊ」の文字キーＭＪ（ｉ，ｊ）、文字ＩＤ「ｉ，ｊ＋１」の文字キーＭＪ（ｉ，ｊ＋１）、文字ＩＤ「ｉ，ｊ＋２」の文字キーＭＪ（ｉ，ｊ＋２）、文字ＩＤ「ｉ，ｊ＋３」の文字キーＭＪ（ｉ，ｊ＋３）という様に、各文字ＩＤが連続する様にして表示されている。
【００６９】
例えば、メールアプリケーションを選択し、文字入力画面が起動された場合、制御部１０１は、第１の文字群に属する文字を示す文字キーＭＪ（ｉ，ｊ，ｋ１，ｋ２）〜ＭＪ（ｉ，ｊ，ｋ１，ｋ２＋４）および、第２の文字群に属する文字を示す文字キーＭＪ（ｉ，ｊ）〜ＭＪ（ｉ，ｊ＋３）を円弧状に配列して表示する様に表示制御部１１１に指示する。表示制御部１１１は、制御部１０１からの指示に応じて、図５に示す様に、第１の文字群に属する文字を示す文字キーＭＪ（ｉ，ｊ，ｋ１，ｋ２）〜ＭＪ（ｉ，ｊ，ｋ１，ｋ２＋４）および、第２の文字群に属する文字を示す文字キーＭＪ（ｉ，ｊ）〜ＭＪ（ｉ，ｊ＋３）を円弧状に配列して表示する。これらの各文字キーは、上述した入力操作に応じて選択が可能である。
【００７０】
なお、図５において、第１の文字群に属する文字を示す文字キーＭＪ（ｉ，ｊ，ｋ１，ｋ２）〜ＭＪ（ｉ，ｊ，ｋ１，ｋ２＋４）は、表示領域ＡＲ１に収まるように表示し、各文字キーの中心点が、座標（（ｘ５-ｘ４）／２，０）と座標（０，（ｙ５−ｙ４）／２）を円弧状に結んだ場合のライン上に位置するように表示する。又、各文字キーは表示領域ＡＲ１内で等間隔に表示する。なお、表示位置は、各文字キーの中心点が座標（（ｘ５-ｘ４）／２，０）と座標（０，（ｙ５−ｙ４）／２）を円弧状に結んだ場合のライン上に位置するように表示しなくても良く、又、各文字キーは表示領域ＡＲ１内で等間隔でなくても良い。
【００７１】
これらの座標に関するデータは、表示制御部１１１の動作において予め規定されていても良い。又は、これらの各座標に関するデータは記憶部１１０に記憶されても良く、表示制御部１１１は当該各文字キーを表示する際、当該各座標に関するデータを記憶部１１０から読み出して定めても良い。又、第２の文字群に属する文字を示す文字キーＭＪ（ｉ，ｊ）〜ＭＪ（ｉ，ｊ＋３）についても同様に表示領域ＡＲ２に収まるように表示する。
【００７２】
表示制御部１１１に表示される各文字キーの所定数は、表示制御部１１１の動作において予め規定されていることが好ましい。以下の第１の実施形態では当該所定数を例えば、第１の文字群に属する文字を示すキーを「５」、第２の文字群に属する文字を示すキーを「４」として説明する。
【００７３】
図６（ａ）は、文字入力画面を起動した際に、入力モードをかな入力モードとして、各文字キーを円弧状に表示する場合の、携帯電話機１００の表示部１１２に表示される画面の一例である。
【００７４】
図６（ａ）のように、上述した様に表示所定数が第１の文字群に属する文字を示すキーを「５」、第２の文字群に属する文字を示すキーを「４」とした場合には、第１の文字群に属する文字を示すキーには、文字ＩＤ「１，１，１，１」の文字キー「あ」、文字ＩＤ「１，１，１，２」の文字キー「い」、文字ＩＤ「１，１，１，３」の文字キー「う」、文字ＩＤ「１，１，１，４」の文字キー「え」、文字ＩＤ「１，１，１，５」の文字キー「お」が表示され、第２の文字群に属する文字を示すキーには、文字ＩＤ「１，１」の文字キー「あ」、文字ＩＤ「１，２」の文字キー「か」、文字ＩＤ「１，３」の文字キー「さ」、文字ＩＤ「１，４」の文字キー「た」を表示する。
【００７５】
図６（ａ）において、円弧状に配列して選択可能に表示されている第２の文字群に属する文字を示すキーのうち、ユーザが任意の文字キーとして例えば文字ＩＤ「１，３」の文字キー「さ」上をタップ操作したとする。この場合、表示制御部１１１は、当該タップ操作がなされた文字を示すキー「さ」に対応した第１の文字群に属する文字を示すキーを表示領域ＡＲ１上に表示する。（図６（ｂ）参照）。図６（ｂ）には、当該タップ操作後の表示領域ＡＲ１上の第１の文字群に属する文字を示すキーに、文字ＩＤ「１，３，１，１」の文字キー「さ」、文字ＩＤ「１，３，１，２」の文字キー「し」、文字ＩＤ「１，３，１，３」の文字キー「す」、文字ＩＤ「１，３，１，４」の文字キー「せ」、文字ＩＤ「１，３，１，５」の文字キー「そ」が選択可能に、円弧状に配列して表示されている。
【００７６】
又、図６（ｂ）において、円弧状に配列して選択可能に表示されている第１の文字群に属する文字を示すキーのうち、ユーザが任意の文字キーとして例えば文字ＩＤ「１，３，１，２」の文字キー「し」上をタップ操作したとする。この場合、表示制御部１１１は、当該タップ操作に応じて、当該タップ操作がなされた文字を示すキー「し」の文字を表示部１１２の入力文字が表示される入力文字表示領域ＩＮのうち、入力される文字の表示位置を示すＩＮｐの位置に表示する。（図６（ｃ）参照）。図６（ｃ）には、当該タップ操作後の表示部１１２の入力文字表示領域ＩＮに文字「し」が表示されている。
【００７７】
又、図６（ｃ）において、円弧状に配列して選択可能に表示されている第１の文字群に属する文字を示すキーのうち、ユーザが任意の文字キーとして例えば文字ＩＤ「１，３，１，２」の文字キー「し」上をタップ操作したとする。この場合、表示制御部１１１は、当該タップ操作に応じて、入力される文字の表示位置を示すＩＮｐの位置を更新し、当該タップ操作がなされた文字を示すキー「し」の文字を、表示部１１２の入力文字表示領域ＩＮのうち、新たに設定された入力される文字の表示位置を示すＩＮｐに表示する。（図６（ｄ）参照）。図６（ｄ）には、当該タップ操作後、入力される文字の表示位置を示すＩＮｐの位置を更新し、図６（ｃ）で入力文字表示領域ＩＮにされていた文字「し」の右隣に、当該タップ操作がなされた文字を示すキー「し」の文字である「し」が表示されている。これにより、同一文字の入力の際に入力位置の更新作業を省略することができる。
【００７８】
次に、図７（ａ）において、図６（ａ）と同様に円弧状に配列して選択可能に表示されている第１の文字群に属する文字を示すキー、および第２の文字群に属する文字を示すキーのうち、ユーザが任意の文字キーとして、第１の文字群に属する文字を示すキーの文字ＩＤ「１，１，１，５」の文字キー「お」上をタッチ操作した状態でそのまま、例えば左下方向に当該円弧状に沿ってスライド操作したとする。この場合、表示制御部１１１は、当該スライド操作に応じて、反時計周りに第１の文字群に属する文字を示すキー「あ」〜「お」を回転スクロールする（図７（ｂ）参照）。図７（ｂ）には、当該回転スクロール後の第１の文字群に属する文字を示すキーに、文字ＩＤ「１，１，１，４」の文字キー「え」、文字ＩＤ「１，１，１，５」の文字キー「お」、文字ＩＤ「１，１，２，１」の文字キー「ぁ」、文字ＩＤ「１，１，２，２」の文字キー「ぃ」、文字ＩＤ「１，１，２，３」の文字キー「ぅ」が選択可能に、円弧状に配列して表示されている。図７（ｂ）の点線で囲まれた文字キー「い」、および「う」は、当該回転スクロールによって表示部１１２から外れ、表示部１１２に表示されなくなった文字キーを示している。
【００７９】
なお、図７（ａ）のかな入力モード（文字ＩＤパラメータ  i＝１）の場合に、第１の文字群に属する文字キーの最後の文字キー「・」（文字ＩＤ：１，１１，１，５）（図４参照）の次の文字キーは、同入力モード（文字ＩＤパラメータ  i＝１）に属する最初の文字キー「あ」（文字ＩＤ：１，１，１，１）となる様に、同入力モードに属する第１の文字群に属する文字を示すキーが循環的に表示される。
【００８０】
また、図７（ａ）において、第２の文字群に属する文字を示すキーの文字ＩＤ「１，４」の文字キー「た」上をタッチ操作した状態でそのまま例えば左下方向に当該円弧状に沿ってスライド操作したとする。この場合、表示制御部１１１は、当該スライド操作に応じて、反時計周りに第２の文字群に属する文字を示すキー「あ」〜「た」を回転スクロールする（図７（ｃ）参照）。図７（ｃ）には、当該回転スクロール後の第２の文字群に属する文字を示すキーに、文字ＩＤ「１，２」の文字キー「か」、文字ＩＤ「１，３」の文字キー「さ」、文字ＩＤ「１，４」の文字キー「た」、文字ＩＤ「１，５」の文字キー「な」、が選択可能に、円弧状に配列して表示されている。図７（ｃ）の点線で囲まれた文字キー「あ」は、当該回転スクロールによって表示部１１２から外れ、表示部１１２に表示されなくなった文字キーを示している。
【００８１】
なお、図７（ａ）のかな入力モード（文字ＩＤパラメータ  i＝１）の場合に、第２の文字群に属する文字キーの最後の文字キー「、。？」（文字ＩＤ：１，１１）（図４参照）の次の文字キーは、同入力モード（文字ＩＤパラメータ  i＝１）に属する最初の文字キー「あ」（文字ＩＤ：１，１）となる様に、同入力モードに属する第２の文字群に属する文字を示すキーが循環的に表示される。
【００８２】
次に、図８（ａ）において、図７（ａ）と同様に円弧状に配列して選択可能に表示されている第１の文字群に属する文字を示すキー、および第２の文字群に属する文字を示すキーのうち、ユーザが例えば、第１の文字群に属する文字を示すキーを表示する表示領域ＡＲ１上を左下方向に当該円弧状に沿ってスライド操作したとする。この場合、表示制御部１１１は、図７（ｂ）と同様に、当該スライド操作に応じて、反時計周りに第１の文字群に属する文字を示すキーを回転スクロールする（図８（ｂ）参照）。
【００８３】
図８（ｂ）において、さらにユーザが、第１の文字群に属する文字を示すキーを表示する表示領域ＡＲ１上を左下方向に当該円弧状に沿ってスライド操作したとする。この場合、表示制御部１１１は、例えば文字キー「な」のように、表示部１１２に表示中の第２の文字群に属する文字を示すキーに対応しない第１の文字群に属する文字を示すキーを表示部１１２に表示させようとするため、表示制御部１１１は、表示部１１２に表示させようとする第１の文字群に属する文字を示すキーが第２の文字群に属する文字を示すキーに対応するように第２の文字群に属する文字を示すキーも合わせてスクロールし、第２の文字群に属する文字を示すキーに文字キー「な」を表示する。（図８（ｃ）参照）。
【００８４】
ただし、図８（ｂ）においては、第１の文字群に属する文字を示すキーの回転スクロールにより表示部１１２に表示される文字キーが、表示部１１２に表示中の第２の文字群に属する文字を示すキーに対応しているため、第２の文字群に属する文字を示すキーの回転スクロールは行われない。また、第２の文字群に属する文字を示すキーの表示切り替え方法については、回転スクロールでも表示を切り替える方法でもどちらでも良い。
【００８５】
これにより、第２の文字群に属する文字を示すキーのスクロール量を減らすことができる。
【００８６】
次に、図９（ａ）において、図７（ａ）と同様に円弧状に配列して選択可能に表示されている第１の文字群に属する文字を示すキー、および第２の文字群に属する文字を示すキーのうち、ユーザが例えば、第２の文字群に属する文字を示すキーを表示する表示領域ＡＲ２上を左下方向に当該円弧状に沿ってスライド操作したとする。この場合、表示制御部１１１は、当該スライド操作に応じて、反時計周りに第２の文字群に属する文字を示すキーを回転スクロールするが、第２の文字群に属する文字を示すキーのうち、表示部１１２に表示中の第１の文字群に属する文字を示すキーに対応しない第２の文字群に属する文字を示すキーを表示させようとするため、表示制御部１１１は、表示部１１２に表示させようとする第２の文字群に属する文字を示すキーが第１の文字群に属する文字を示すキーに対応するように第１の文字群に属する文字を示すキーも合わせてスクロールする。
【００８７】
例えば、図９（ｂ）に示すように、第２の文字群に属する文字を示すキーの回転スクロール動作によって、表示部１１２の表示領域ＡＲ２上に文字キー「か，さ，た，な」を表示する。表示部１１２の表示領域ＡＲ１上に表示していた第１の文字群に属する文字を示すキー「あ，い，う，え，お」に対応する第２の文字群に属する文字を示すキー「あ」が表示されなくなるため、表示制御部１１１は、表示部１１２の表示領域ＡＲ２に表示中の第２の文字群に属する文字を示すキーに対応するように第１の文字群に属する文字を示すキーに「か，き，く，け，こ」を表示する。
【００８８】
但し、図９（ｃ）に示すように、図９（ｂ）において、ユーザが例えば、第２の文字群に属する文字を示すキーを表示する表示領域ＡＲ２上を右上方向に当該円弧状に沿ってスライド操作した場合は、当該スライド操作に応じて、時計周りに第２の文字群に属する文字を示すキーを回転スクロールするが、表示部１１２に表示される第２の文字群に属する文字を示すキーが、表示部１１２の表示領域ＡＲ１に表示中の第１の文字群に属する文字を示すキーに対応しているため、第１の文字群に属する文字を示すキーの回転スクロールは行われない。
【００８９】
また、第１の文字群に属する文字を示すキーの表示切り替え方法については、回転スクロールでも表示を切り替える方法でもどちらでも良い。
【００９０】
これにより、第１の文字群に属する文字を示すキーのスクロール量を減らすことができる。
【００９１】
次に、図１０（ａ）において、図７（ａ）と同様に円弧状に配列して選択可能に表示されている第１の文字群に属する文字を示すキー、および第２の文字群に属する文字を示すキーのうち、ユーザが例えば、第２の文字群に属する文字を示すキーのうち文字キー「か」をタップ操作したとする。この場合、表示制御部１１１は、当該タップ操作に応じて、タップされた文字キー「か」に対応する「か」行の文字キー「か，き，く，け，こ」に第１の文字群に属する文字を示すキーを変更する。（図１０（ｂ）参照）。
【００９２】
また、図１０（ｂ）において、ユーザが続けて、第２の文字群に属する文字を示すキーのうち文字キー「か」をタップ操作したとする。この場合、表示制御部１１１は、当該タップ操作に応じて、タップされた文字キー「か」に対応する「か」行の文字キーの濁音「が，ぎ，ぐ，げ，ご」に第１の文字群に属する文字を示すキーを変更する。（図１０（ｃ）参照）。
【００９３】
図１０（ｄ）は第２の文字群に属する文字を示すキーを繰り返してタップした場合における、第１の文字群に属する文字を示すキーの表示切り替え例である。例えば、第２の文字群に属する文字を示すキーのうち、ひらがな及びカタカナの「あ」及び「や」、アルファベットのように、大文字と小文字を有する文字キーの場合は、繰り返しのタップ操作により、第１の文字群に属する文字を示すキーを大文字と小文字とを切り替える。
【００９４】
また、ひらがな及びカタカナの「か」及び「は」などのように、濁音若しくは半濁音を有する文字キーの場合は、繰り返しのタップ操作により、第１の文字群に属する文字を示すキーを無声音、濁音若しくは半濁音とで切り替える。
【００９５】
また、カタカナ、記号及びアルファベットのように、半角若しくは全角を有する文字キーの場合は、繰り返しのタップ操作により、第１の文字群に属する文字を示すキーを半角若しくは全角とで切り替える。
【００９６】
但し、大文字若しくは小文字、濁音若しくは半濁音、又は、半角若しくは全角を切り替えのための入力操作はタップ操作に限られず、長押しなどでも良い。また、第１の文字群に属する文字を示すキーの表示切り替え方法については、回転スクロールでも表示を切り替える方法でもどちらでも良く、切り替える内容の順番については図１０（ｄ）に記載のものでなくても良い。
【００９７】
これにより、第１の文字群に属する文字を示すキーのスクロール動作を省略することができる。
【００９８】
次に、図１１（ａ）において、表示領域ＡＲ３のメニューアイコンＩＣｍに「メニュー」を表示し、ユーザが例えば、「はは」の文字を入力していた場合に、メニューアイコンＩＣｍをタップ操作したとする。
【００９９】
この場合、表示制御部１１１は、例えば、表示領域ＡＲ１に、文字消去、空白の挿入、又は、濁点若しくは半濁点の付与のコマンドのアイコンを表示し、表示領域ＡＲ２に、少なくとも、ひらがな、カタカナ、アルファベット、記号、絵文字、数字、又は、入力文字の漢字変換のいずれかを含む文字入力のモードを切替えるためのアイコンを表示させる。この表示内容は、記憶部１１０の文字キー情報ＫＴから読み込まれる。
【０１００】
また、表示制御部１１１は上記文字入力のモードを切り替えるためのアイコン表示中は、メニューアイコンＩＣｍの表示内容を「メニュー」から「戻る」に変更する（図１１（ｂ）参照）。
【０１０１】
図１１（ｂ）において、第１の文字群に属する文字を示すキーのうち、例えば、「クリア」を選択したとする。この場合、表示制御部１１１は、入力文字の表示位置カーソルＩＮｐに該当する文字の消去を行い、表示位置カーソルＩＮｐのカーソル位置を更新する（図１１（ｃ）参照）。同様にして、メニューアイコン選択後のメニュー選択入力において、第１の文字群に属する文字を示すキーが選択された場合には、該当するコマンドを入力文字の表示位置カーソルＩＮｐに対して実行する。
【０１０２】
また、図１１（ｂ）において、第２の文字群に属する文字を示すキーのうち、例えば、「漢字」を選択したとする。この場合、表示制御部１１１は、漢字変換入力モードに切替え、ユーザにより文字入力され、入力文字のうち、変換または確定待ち入力文字Ｗｔ「はは」に関する漢字変換候補を表示部１１２の第１の文字群に属する文字を示すキーに表示し、ＩＣｍの表示内容を「戻る」から「メニュー」に変更する（図１１（ｄ）参照）。
【０１０３】
また、ユーザが「メニュー」表示中のメニューアイコンＩＣｍをタップ操作した場合、表示制御部１１１はタップ前の入力モードを記憶し、「戻る」表示中のメニューアイコンＩＣｍをタップ操作することで、以前の入力モードに戻ることを可能にする。
【０１０４】
これにより、文字の入力モードの切り替えや入力文字の操作及び、漢字変換などを簡単な操作で行うことができる。また、ユーザが文字入力中に、誤ってメニューアイコンＩＣｍをタップ操作した場合においても、再度メニューアイコンＩＣｍをタップすることで、誤った操作の以前の入力画面に戻ることが可能になる。
【０１０５】
３．第１の実施形態の携帯電話機の動作に関する説明
図１２〜図１５は、第１の実施形態の携帯電話機１００の動作を説明するフローチャートである。以下の図１２〜図１５に示すフローチャートの説明においては、具体例を説明するために必要に応じて図５〜図１１を参照する。
【０１０６】
図１２において、ユーザにより、例えば、メールアプリケーションが起動された場合、表示制御部１１１は、制御部１０１からの指示に応じて、記憶部１１０に記憶されている文字キー情報ＫＴを読み込み、表示領域ＡＲ３にメニューアイコンＩＣｍ、表示領域ＡＲ１及び表示領域ＡＲ２上の各文字キーを、例えば円弧状に配列して表示部１１２に表示する。（Ｓ１０１、図６（ａ））。上述した様に、所定数は第１の文字群に属する文字を示すキーを「５」、第１の文字群に属する文字を示すキーを「４」として説明する。
【０１０７】
ステップＳ１０１の後、表示部１１２に表示中のメニューアイコンＩＣｍが選択されたとする（Ｓ１０２、ＹＥＳ）。
【０１０８】
ユーザによるメニューアイコンＩＣｍ操作が長押し操作であった場合には、制御部１０１はユーザによる文字入力操作の終了するように表示制御部１１１に指示し、入力文字内容を保存する様に記憶部１１０に指示する（Ｓ１０４、ＹＥＳ、Ｓ１０５）。
【０１０９】
ユーザによるメニューアイコンＩＣｍ操作がタップ動作であった場合で（Ｓ１０４、ＮＯ）、メニューアイコンＩＣｍのタップ操作時の表示部１１２の表示画面が図１１（ｂ）に示すメニュー選択画面であった場合には、制御部１０１はユーザにより、「戻る」のメニューアイコンＩＣｍが選択されたことにより、記憶部１１０からメニュー選択画面に遷移する前の表示領域ＡＲ１および表示領域ＡＲ２に表示中の画面内容を読み込み、表示制御部１１１に上記内容を表示する様に指示する（Ｓ１０６、ＹＥＳ、Ｓ１０７）。
【０１１０】
また、メニューアイコンＩＣｍのタップ操作時の表示部１１２の表示画面が例えば、図６（ａ）の様な、かな入力モード（メニュー選択モードを除く、各種入力モード）であった場合には、制御部１０１は、記憶部１１０にメニューアイコンＩＣｍタップ操作時の表示領域ＡＲ１及び表示領域ＡＲ２の表示内容を記憶する様に指示し、メニュー選択画面への遷移とメニューアイコンＩＣｍの表示内容を「戻る」に変更する様に、表示制御部１１１に指示する（Ｓ１０６、ＮＯ、Ｓ１０８、Ｓ１０９）。
【０１１１】
ステップＳ１０２において、メニューアイコンＩＣｍの操作ではなく、表示領域ＡＲ２上においてスクロール又はタップ操作などのユーザ操作が行われたとする（Ｓ１０２、ＮＯ、Ｓ１０３、ＮＯ、Ｓ２０１）。
【０１１２】
表示領域ＡＲ２上の操作は図１３に示すとおりである。図１１（ｂ）に示すようなメニュー選択画面であった場合において、図１３ステップＳ２０１の表示領域ＡＲ２上での操作が、ある文字キーのタップ操作であった場合（Ｓ２０２、ＮＯ、Ｓ２０３、ＹＥＳ）、ユーザによるタップ操作は入力モードの切り替え動作となる。このとき、制御部１０１はユーザにより選択された文字入力モードに対応する文字キーを記憶部１１０に記憶されている文字キー情報ＫＴから読み込み、読み込んだ文字キーを表示領域ＡＲ１及び表示領域ＡＲ２上に表示する様に表示制御部１１１に指示し、表示制御部１１１は表示部１１２にその内容を表示する。また、表示制御部１１１は、メニューアイコンＩＣｍの表示内容を「戻る」から「メニュー」に変更し、表示領域ＡＲ２上操作を終了する（Ｓ２０７）。
また、ユーザによる表示領域ＡＲ２上の操作が例えば、図１１（ｄ）に示すような漢字変換モードであった場合において、図１３ステップＳ２０１の表示領域ＡＲ２上での操作がある文字キーのタップ操作であった場合（Ｓ２０２、ＮＯ、Ｓ２０３、ＮＯ、Ｓ２０４、ＹＥＳ）、制御部１０１はユーザにより選択されたコマンドを、入力文字の表示位置カーソルＩＮｐが示す文字に対して実行する（Ｓ２０５）。
【０１１３】
また、ユーザによる表示領域ＡＲ２上の操作が例えば、図１０（ａ）に示すような文字入力モード（メニュー選択モード、漢字変換モードを除く、各種入力モード）であった場合において、図１３ステップＳ２０１の表示領域ＡＲ２上での操作がある文字キーのタップ操作であった場合で（Ｓ２０２、ＮＯ、Ｓ２０３、ＮＯ、Ｓ２０４、ＮＯ）、１つ前のユーザ操作と異なるキーの選択であった場合（Ｓ２０６、ＮＯ）、ユーザによるタップ操作はタップ操作がなされた文字を示すキーに対応した文字群に属する文字を表示させるための動作となる。このとき、制御部１０１はユーザにより選択された第２の文字群に属する文字を示すキーのうちの、前記タップ操作がなされた文字を示すキーに対応した第１の文字群に属する文字を示すキーを記憶部１１０に記憶されている文字キー情報ＫＴから読み込み、読み込んだ文字キーを表示領域ＡＲ１上に表示する様に表示制御部１１１に指示し、表示制御部１１１は表示部１１２にその内容を表示し、表示領域ＡＲ２上での操作を終了する（Ｓ２０７、Ｓ２０９）。
【０１１４】
ユーザによる表示領域ＡＲ２上の操作が、１つ前のユーザ操作と同一の表示領域ＡＲ２上の文字キーのタップ操作であった場合（Ｓ２０６、ＹＥＳ）、例えば図１０（ｃ）に示すように、ユーザにより連続して表示領域ＡＲ２上の文字キーがタップされたことになる。このとき、制御部１０１は前述したとおり、ユーザにより選択された第２の文字群に属するキーに対応する、第１の文字群に属する文字を示すキーの、大文字若しくは小文字、濁音若しくは半濁音、又は、半角若しくは全角などの文字キー情報を、記憶部１１０に記憶されている文字キー情報ＫＴから読み込み、表示領域ＡＲ１上に切り替えて表示する様に表示制御部１１１に指示し、表示制御部１１１は表示部１１２にその内容を表示し、表示領域ＡＲ２上操作を終了する（Ｓ２０８、Ｓ２０９）。
【０１１５】
また、ユーザによる表示領域ＡＲ２上の操作が例えば、図７(ａ)に示すような文字入力モードであった場合において、図７（ｃ）に示すようなスクロール動作であったとする。（Ｓ２０２、ＹＥＳ）。このとき制御部１０１は図１５ステップＳ４０１の動作を行う。
【０１１６】
制御部１０１は、表示制御部１１１に表示領域ＡＲ２上の文字キーのスクロール動作を行う（Ｓ４０２）。制御部１０１は、表示領域ＡＲ２上の文字キーがスクロール中であった場合（Ｓ４０３、ＹＥＳ、Ｓ４０４、ＮＯ）、前述した様に、第２の文字群に属する文字キーＭＪ（ｉ，ｊ）のパラメータｊのインクリメント及びディクリメントにより表示領域ＡＲ２上の文字キーの表示を切り替える様に表示制御部１１１に指示する（Ｓ４０５）。また、前述した様に、スクロール中に、第２の文字群に属する文字を示すキーのうち、表示部１１２に表示させた第１の文字群に属する文字を示すキーに対応しない第２の文字群に属する文字を示すキーを表示部１１２に表示させようとするときは、第１の文字群に属する文字を示すキーが表示部１１２に表示させようとする第２の文字群に属する文字を示すキーに対応するように第１の文字群に属する文字を示すキーをスクロールさせる様に制御部１０１は表示制御部１１１に指示し、表示制御部１１１は表示部１１２に表示する（図９（ｂ）、Ｓ４０６、Ｓ４０７）。表示領域ＡＲ２上の文字キーのスクロールにおいて、第２の文字群に属する文字を示すキーと第１の文字群に属する文字を示すキーの表示が対応している場合には、表示領域ＡＲ１上の文字キーのスクロール動作は行わない（Ｓ４０６、ＹＥＳ）。
【０１１７】
また、表示領域ＡＲ２上の文字キーのスクロール中に、ユーザが表示部１１２上をタップ操作したとする。このとき表示制御部１１１は、スクロール動作を停止させる（Ｓ４０８、ＹＥＳ、Ｓ４０９、Ｓ４１３）。これにより、ユーザの好きなタイミングでスクロール動作を停止することが可能になる。
【０１１８】
また、表示領域ＡＲ２上の文字キーのスクロール中に、表示領域ＡＲ１及び表示領域ＡＲ２上に表示中の文字キーをタップ操作したとする。このとき、タッチパネル１０９は、第１の文字群に属する文字を示すキーに対応する入力操作及び第２の文字群に属する文字を示すキーに対応する入力操作を検出しない。これにより、表示制御部１１１はスクロール動作の停止と判断し、ユーザによる文字キーの選択と判断せず、誤入力を減少させることが可能になる。
図１２ステップＳ１０３において、ユーザによる入力操作が表示領域ＡＲ１上で行われたとする（Ｓ１０３、ＹＥＳ）。このとき、図１４ステップＳ３０１において、ユーザによる入力操作がタップ操作であったとする（Ｓ３０２、ＮＯ）。ユーザによるタップ操作が図１１（ｂ）に示す様なメニュー選択画面で、タップされた第１の文字群に属する文字を示すキーが「確定」であった場合で、入力文字のうち、変換または確定待ち入力文字Ｗｔがなかった場合（Ｓ３０３、ＹＥＳ、Ｓ３１０、ＮＯ）、制御部１０１は入力文字表示領域ＩＮに表示されている入力文字を記憶部１１０に保存し、文字入力画面を終了する様に表示制御部１１１に指示する。表示制御部１１１は、例えば文字入力がメ−ルアプリケーションであった場合には、送信画面などに表示部１１２の表示を切り替える。入力文字のうち、変換または確定待ち入力文字Ｗｔがあった場合には（Ｓ３１０、ＹＥＳ）、入力文字のうち、変換または確定待ち入力文字Ｗｔを確定し、入力文字の表示位置カーソルＩＮｐを更新する（Ｓ３１２）。
【０１１９】
ユーザによる入力操作がタップ操作で、メニュー選択モード時の第１の文字群に属する文字を示すキーのうち、「確定」キーでなく、図１１（ｄ）に示す様な漢字変換モードであったとする（Ｓ３０３、ＮＯ、Ｓ３０４、ＹＥＳ）。このとき、制御部１０１はユーザにより選択された第１の文字群に属する文字を示すキーに対する漢字変換を実行する様に表示制御部１１１に指示し、表示制御部１１１は表示部１１２にその内容を表示する（Ｓ３０６）。漢字変換実施後、入力文字表示領域ＩＮに入力文字のうち、変換または確定待ち入力文字Ｗｔがまだ存在する場合には（Ｓ３０７、ＹＥＳ）、制御部１０１は、次の入力文字のうち、変換または確定待ち入力文字Ｗｔの漢字変換候補を表示領域ＡＲ１上に表示するように、表示制御部１１１に指示し、表示制御部１１１は表示部１１２にその内容を表示する（Ｓ３０９）。入力文字表示領域ＩＮに入力文字のうち、変換または確定待ち入力文字Ｗｔがない場合には（Ｓ３０７、ＮＯ）、制御部１０１は、漢字変換モードを終了し、文字入力モードに遷移する様に、表示制御部１１１に指示する。表示制御部１１１は、記憶部１１０に保存されていた漢字変換モード（メニューアイコンＩＣｍ）タップ操作以前の文字入力モードの情報を読み出し、表示部１１２の表示領域ＡＲ１及び表示領域ＡＲ２上にその内容を表示する（Ｓ３０８）。
【０１２０】
図１４ステップＳ３０４において、漢字変換モード以外の例えば、図６（ｃ）のかな入力モードにおいて表示領域ＡＲ１上の文字キーがタップされたとする（Ｓ３０４、ＮＯ）。
このとき制御部１０１は、ユーザにより選択された第１の文字群に属する文字キーに対応する文字を入力文字として入力する様に、表示制御部１１１に指示する。表示制御部１１１は、入力文字の表示位置カーソルＩＮｐが示す位置に選択された文字を表示する。また、図１１（ｃ）のようなメニュー選択モードであった場合には、前述したとおり、ユーザにより選択された第１の文字群に属する文字キーに対応するコマンドを入力文字の表示位置カーソルＩＮｐが示す入力文字に対して表示制御部１１１は実行する（Ｓ３０５）。
【０１２１】
また、ユーザによる表示領域ＡＲ１上操作がタップ操作ではなく、スクロール動作であったとする（Ｓ３０２、ＹＥＳ）。このとき制御部１０１は図１５ステップＳ４０１の動作を行う。
【０１２２】
このとき制御部１０１は、表示制御部１１１に表示領域ＡＲ１上の文字キーのスクロール動作を行う（Ｓ４０２）。制御部１０１は、表示領域ＡＲ１上の文字キーがスクロール中であった場合（Ｓ４０３、ＹＥＳ、Ｓ４０４、ＹＥＳ）、前述した様に、第１の文字群に属する文字キーＭＪ（ｉ，ｊ，k1，k2）のパラメータｋ２またはｋ１のインクリメント及びディクリメントにより表示領域ＡＲ１上の文字キーの表示を切り替える様に表示制御部１１１に指示する（Ｓ４１０）。また、前述した様に、スクロール中に、第１の文字群に属する文字を示すキーのうち、表示部１１２に表示させた第２の文字群に属する文字を示すキーに対応しない第１の文字群に属する文字を示すキーを表示部１１２に表示させようとするときは、第１の文字群に属する文字を示すキーが第２の文字群に属する文字を示すキーに対応するように第２の文字群に属する文字を示すキーをスクロールさせる様に、制御部１０１は表示制御部１１１に指示し、表示制御部１１１は表示部１１２に表示する（図８（ｃ）、Ｓ４１１、ＮＯ、Ｓ４１２）。表示領域ＡＲ１上の文字キーのスクロールにおいて、第１の文字群に属する文字を示すキーと第２の文字群に属する文字を示すキーの表示が対応している場合には、表示領域ＡＲ２上の文字キーのスクロール動作は行わない（Ｓ４１１、ＹＥＳ）。
【０１２３】
また、表示領域ＡＲ１上の文字キーのスクロール中に、ユーザが表示部１１２上をタップ操作した場合には、前述した表示領域ＡＲ２上のスクロール中動作と同様に、表示制御部１１１は、スクロール動作を停止させる（Ｓ４０８、ＹＥＳ、Ｓ４０９、Ｓ４１３）。また、表示領域ＡＲ１上の文字キーのスクロール中に、表示領域ＡＲ１及び表示領域ＡＲ２上に表示中の文字キーをタップ操作した場合には、前述した表示領域ＡＲ２上のスクロール中動作と同様に、タッチパネル１０９は、第１の文字群に属する文字を示すキーに対応する入力操作及び第２の文字群に属する文字を示すキーに対応する入力操作を検出しない。
【０１２４】
以上により、第１の実施形態の携帯電話機１００によれば、第１の文字群に属する文字を示すキーと、第２の文字群に属する文字を示すキーとを配列して表示させることで、指の移動を少なくし、且つユーザが片手で簡単に文字入力を可能とすることができる。さらに、片手で文字入力する場合に、第１の実施形態におけるキーの配列の表示、または、選択可能な文字数を減少させること等により押し間違いを減らすことも可能にする。
【０１２５】
より詳細には、表示制御部１１１は、第１の文字群に属する文字を示すキーと、第２の文字群に属する文字を示すキーとを、表示部１１２の右下の一部の表示領域に配列して表示させる。このことにより、例えば、ユーザは、ユーザの右手の手のひらで携帯電話機１００の右下の角を支えた状態で右手だけで（片手で）操作しても、携帯電話機１００の下側が支えられているので、表示部１１２が斜めに傾いたり、携帯電話機１００を下に落としたりする心配をしないで安心して操作することができる。また、ユーザが、この状態で操作した場合に、操作しやすい位置に第１の文字群に属する文字を示すキーと、第２の文字群に属する文字を示すキーとメニューアイコンが表示されることになる。
【０１２６】
〔第１の実施形態の変形例１〕
第１の実施形態では、携帯電話機１００において、表示部１１２に第１の文字群に属する文字を示すキーと、第２の文字群に属する文字を示すキーと、を二重の円弧状に配列して表示させる例を説明した。第１の実施形態の変形例１では、当該各文字キーを図１６（ａ）に示す様に、第１の文字群に属する文字を示すキーと、第２の文字群に属する文字を示すキーが縦に平行な２つの直線状に配列して表示された場合及び、図１６（ｂ）に示す様に、第１の文字群に属する文字を示すキーと、第２の文字群に属する文字を示すキーが横に平行な２つの直線状に配列して表示された場合について説明する。
【０１２７】
なお、第１の実施形態の変形例１の携帯電話機の構成は、上述した第１の実施形態の携帯電話機１００と同様であるため、当該構成に関する説明は省略する。このため、第１の実施形態の変形例１の携帯電話機を、第１の実施形態の携帯電話機１００と同様に、「携帯電話機１００」と記載する。また、第１の実施形態の変形例１の携帯電話機１００の各部も、同様に第１の実施形態の携帯電話機１００の各部と同様に記載する。
【０１２８】
図１６（ａ）は、第１の文字群に属する文字を示すキーと、第２の文字群に属する文字を示すキーが縦に平行な２つの直線状に配列して表示された状況の一例を示す説明図である。
【０１２９】
図１６（ａ）において、表示部１１２の右下の端点を同図紙面原点（０，０）、当該原点から同図紙面左方向にｘ軸、及び同図紙面上方向にｙ軸を設けるとする。
【０１３０】
図１６（ａ）において、座標（ｘ５，０）、座標（ｘ４，０）、座標（０，ｙ２）及び座標（０，０）で囲まれる領域は、携帯電話機１００により、上述した第１の文字群に属する文字を示すキーを縦に平行な２つの直線状に配列して表示する場合の表示領域ＡＲ１である。又、座標（ｘ３，０）、座標（ｘ２，０）、座標（０，ｙ２）及び座標（０，０）で囲まれる領域は、携帯電話機１００により、上述した第２の文字群に属する文字を示すキーを縦に平行な２つの直線状に配列して表示する場合の表示領域ＡＲ２である。
【０１３１】
なお、表示領域ＡＲ１及び表示領域ＡＲ２は、表示部１１２の表示領域の全体ではなく、当該表示領域の一部として例えば表示部１１２の右下の所定の範囲であることが好ましい。これにより、ユーザは、例えば、片手（右手）による操作を簡単に行うことができる。
【０１３２】
これらの各座標に関するデータは、当該携帯電話機１００の表示制御部１１１の動作において予め規定されていても良い。又は、これらの各座標に関するデータは記憶部１１０に記憶されても良く、当該表示制御部１１１は縦に平行な２つの直線状に配列して表示する際、当該各座標に関するデータを当該記憶部１１０から読み出して表示領域ＡＲ１〜表示領域ＡＲ２を定めても良い。
【０１３３】
図１６（ａ）において、座標（０，０）、座標（ｘ１，０）及び座標（０，ｙ１）で囲まれる表示領域ＡＲ３又はメニューアイコンＩＣｍに対する表示領域、表示内容及び動作は前述した第１の実施形態と同様である。
【０１３４】
また、図１６（ａ）において、表示領域ＡＲ１に相当する表示領域内には、第１の文字群に属する文字を示すキーが表示され、表示領域ＡＲ２に相当する表示領域内には、第２の文字群に属する文字を示すキーが表示されている。
【０１３５】
図１６（ａ）に示す様に、表示部１１２に表示される各文字キーは、前述した第１の実施形態と同様に、表示部１１２の表示領域ＡＲ１に相当する表示領域内には、第１の文字群に属する文字を示す文字キーＭＪ（ｉ，ｊ，ｋ１，ｋ２）に対応する文字キーを、表示領域ＡＲ２に相当する表示領域内には、第２の文字群に属する文字を示す文字キーＭＪ（ｉ，ｊ）に対応する文字キーを選択可能に、縦に平行な２つの直線状に配列して表示する。縦に平行な２つの直線状に配列して表示される各文字キーは、当該各文字キーに対応する各文字キーの各文字ＩＤが連続する様にして表示される。
【０１３６】
例えば、メールアプリケーションを選択し、文字入力画面が起動された場合、制御部１０１は、第１の文字群に属する文字を示す文字キーＭＪ（ｉ，ｊ，ｋ１，ｋ２）〜ＭＪ（ｉ，ｊ，ｋ１，ｋ２＋３）および、第２の文字群に属する文字を示す文字キーＭＪ（ｉ，ｊ）〜ＭＪ（ｉ，ｊ＋３）を縦に平行な２つの直線状に配列して表示する様に表示制御部１１１に指示する。表示制御部１１１は、制御部１０１からの指示に応じて、図１６（ａ）に示す様に、第１の文字群に属する文字を示す文字キーＭＪ（ｉ，ｊ，ｋ１，ｋ２）〜ＭＪ（ｉ，ｊ，ｋ１，ｋ２＋３）および、第２の文字群に属する文字を示す文字キーＭＪ（ｉ，ｊ）〜ＭＪ（ｉ，ｊ＋３）を縦に平行な２つの直線状に配列して表示する。これらの各文字キーにおける、ユーザからの入力操作に対する動作は、前述したとおりである。
【０１３７】
但し、図１６（ａ）におけるスクロール動作は、前述した回転スクロールではなく、縦方向へのスクロールとなり、表示領域ＡＲ１及び表示領域ＡＲ２内に収まるように表示する。
【０１３８】
図１６（ｂ）は、第１の文字群に属する文字を示すキーと、第２の文字群に属する文字を示すキーが横に平行な２つの直線状に配列して表示された状況の一例を示す説明図である。
【０１３９】
第１の実施形態では、上述した様に、携帯電話機１００のユーザが例えば右利きである場合に当該ユーザが片手で操作し易くなる様に、表示領域ＡＲ１、表示領域ＡＲ２を二重の円弧状に配列して定められた。
【０１４０】
図１６（ｂ）において、表示部１１２の右下の端点を同図紙面原点（０，０）、当該原点から同図紙面左方向にｘ軸、及び同図紙面上方向にｙ軸を設けるとする。
【０１４１】
図１６（ｂ）において、座標（ｘ２，０）、座標（０，０）、座標（０，ｙ５）及び座標（０，ｙ４）で囲まれる領域は、携帯電話機１００により、上述した第１の文字群に属する文字を示すキーを横に平行な２つの直線状に配列して表示する場合の表示領域ＡＲ１である。又、座標（ｘ２，０）、座標（０，０）、座標（０，ｙ３）及び座標（０，ｙ２）で囲まれる領域は、携帯電話機１００により、上述した第２の文字群に属する文字を示すキーを横に平行な２つの直線状に配列して表示する場合の表示領域ＡＲ２である。
【０１４２】
なお、表示領域ＡＲ１及び表示領域ＡＲ２は、表示部１１２の表示領域の全体ではなく、当該表示領域の一部として例えば表示部１１２の右下の所定の範囲であることが好ましい。これにより、ユーザは、例えば、片手（右手）による操作を簡単に行うことができる。
【０１４３】
これらの各座標に関するデータは、当該携帯電話機１００の表示制御部１１１の動作において予め規定されていても良い。又は、これらの各座標に関するデータは記憶部１１０に記憶されても良く、当該表示制御部１１１は横に平行な２つの直線状に配列して表示する際、当該各座標に関するデータを当該記憶部１１０から読み出して表示領域ＡＲ１〜表示領域ＡＲ２を定めても良い。
【０１４４】
図１６（ｂ）において、座標（０，０）、座標（ｘ１，０）及び座標（０，ｙ１）で囲まれる表示領域ＡＲ３又はメニューアイコンＩＣｍに対する表示領域、表示内容及び動作は前述した第１の実施形態と同様である。
【０１４５】
また、図１６（ｂ）において、表示領域ＡＲ１に相当する表示領域内には、第１の文字群に属する文字を示すキーが表示され、表示領域ＡＲ２に相当する表示領域内には、第２の文字群に属する文字を示すキーが表示されている。
【０１４６】
図１６（ｂ）に示す様に、表示部１１２に表示される各文字キーは、前述した第１の実施形態と同様に、表示部１１２の表示領域ＡＲ１に相当する表示領域内には、第１の文字群に属する文字を示す文字キーＭＪ（ｉ，ｊ，ｋ１，ｋ２）に対応する文字キーを、表示領域ＡＲ２に相当する表示領域内には、第２の文字群に属する文字を示す文字キーＭＪ（ｉ，ｊ）に対応する文字キーを選択可能に、横に平行な２つの直線状に配列して表示する。横に平行な２つの直線状に配列して表示される各文字キーは、当該各文字キーに対応する各文字キーの各文字ＩＤが連続する様にして表示される。
【０１４７】
例えば、メールアプリケーションを選択し、文字入力画面が起動された場合、制御部１０１は、第１の文字群に属する文字を示す文字キーＭＪ（ｉ，ｊ，ｋ１，ｋ２）〜ＭＪ（ｉ，ｊ，ｋ１，ｋ２＋３）および、第２の文字群に属する文字を示す文字キーＭＪ（ｉ，ｊ）〜ＭＪ（ｉ，ｊ＋３）を横に平行な２つの直線状に配列して表示する様に表示制御部１１１に指示する。表示制御部１１１は、制御部１０１からの指示に応じて、図１６（ａ）に示す様に、第１の文字群に属する文字を示す文字キーＭＪ（ｉ，ｊ，ｋ１，ｋ２）〜ＭＪ（ｉ，ｊ，ｋ１，ｋ２＋３）および、第２の文字群に属する文字を示す文字キーＭＪ（ｉ，ｊ）〜ＭＪ（ｉ，ｊ＋３）を横に平行な２つの直線状に配列して表示する。これらの各文字キーにおける、ユーザからの入力操作に対する動作は、前述したとおりである。
【０１４８】
但し、図１６（ｂ）におけるスクロール動作は、前述した回転スクロールではなく、横方向へのスクロールとなり、表示領域ＡＲ１及び表示領域ＡＲ２内に収まるように表示する。
【０１４９】
この様に、第１の実施形態の変形例１では、携帯電話機１００のユーザが例えば右利きである場合に当該ユーザが片手で操作し易くなる様に、表示制御部１１１は、第１の文字群に属する文字を示すキー及び第２の文字群に属する文字を示すキーを表示するための表示するための表示領域ＡＲ１及び表示領域ＡＲ２を定める。
【０１５０】
より詳細には、表示制御部１１１は、第１の文字群に属する文字を示すキーと、第２の文字群に属する文字を示すキーとを、表示部１１２の右下の一部の表示領域に平行な２つの直線状に配列して表示させる。このことにより、例えば、ユーザは、ユーザの左手の手のひらで携帯電話機１００の右下の角を支えた状態で右手だけで（片手で）操作しても、携帯電話機１００の下側が支えられているので、表示部１１２が斜めに傾いたり、携帯電話機１００を下に落としたりする心配をしないで安心して操作することができる。また、ユーザが、この状態で操作した場合に、操作しやすい位置に第１の文字群に属する文字を示すキーと、第２の文字群に属する文字を示すキーとメニューアイコンが表示されることになる。
【０１５１】
〔第１の実施形態の変形例２〕
第１の実施形態では、携帯電話機１００において、表示部１１２に第１の文字群に属する文字を示すキーと、第２の文字群に属する文字を示すキーと、メニューアイコンＩＣｍをユーザの持ち手が右手の場合の例を説明した。第１の実施形態の変形例２では、当該各文字キー及びメニューアイコンＩＣｍをユーザの持ち手が左手の場合について説明する。
【０１５２】
なお、第１の実施形態の変形例２の携帯電話機の構成は、上述した第１の実施形態の携帯電話機１００と同様であるため、当該構成に関する説明は省略する。このため、第１の実施形態の変形例１の携帯電話機を、第１の実施形態の携帯電話機１００と同様に、「携帯電話機１００」と記載する。また、第１の実施形態の変形例２の携帯電話機１００の各部も、同様に第１の実施形態の携帯電話機１００の各部と同様に記載する。
【０１５３】
図１７は、ユーザの持ち手が左手であった場合における第１の文字群に属する文字を示すキーと、第２の文字群に属する文字を示すキーとメニューアイコンと入力文字が表示される表示領域、及び、第１の文字群に属する文字を示すキーと、第２の文字群に属する文字を示すキーが円弧状に配列して表示された状況の一例を示す説明図である。
【０１５４】
第１の実施形態では、上述した様に、携帯電話機１００のユーザが例えば右利きである場合に当該ユーザが片手で操作し易くなる様に、表示領域ＡＲ１、表示領域ＡＲ２及び表示領域ＡＲ３が定められる。
【０１５５】
第１の実施形態の変形例２では、当該携帯電話機１００のユーザが例えば左利きである場合に当該ユーザが片手で操作し易くなる様に、表示領域ＡＲ４、表示領域ＡＲ５及び表示領域ＡＲ６が定められる。
【０１５６】
また、表示部１１２における表示領域ＡＲ１〜表示領域ＡＲ３又は表示領域ＡＲ４〜表示領域ＡＲ６のいずれが定められるかは、ユーザの携帯電話機１００に対する操作に応じて設定される。例えば、ユーザが右利きである場合には、携帯電話機１００の設定画面等で表示領域ＡＲ１〜表示領域ＡＲ３又は表示領域ＡＲ４〜表示領域ＡＲ６のいずれかを設定する様に操作する。これにより、携帯電話機１００は、表示部１１２における表示領域ＡＲ１〜表示領域ＡＲ３又は表示領域ＡＲ４〜表示領域ＡＲ６を定めることができる。
【０１５７】
図１７において、表示部１１２の左下の端点を同図紙面原点（０，０）、当該原点から同図紙面右方向にｘ軸、及び同図紙面上方向にｙ軸を設けるとする。
【０１５８】
図１７において、座標（ｘ５，０）、座標（ｘ４，０）、座標（０，ｙ５）及び座標（０，ｙ４）で囲まれる領域は、携帯電話機１００により、上述した第１の文字群に属する文字を示すキーを円弧状に配列して表示する場合の表示領域ＡＲ４である。又、座標（ｘ３，０）、座標（ｘ２，０）、座標（０，ｙ３）及び座標（０，ｙ２）で囲まれる領域は、携帯電話機１００により、上述した第２の文字群に属する文字を示すキーを円弧状に配列して表示する場合の表示領域ＡＲ５である。但し、座標及び表示領域ＡＲ４、表示領域ＡＲ５は上述した円弧状のものに限定されず、前述した平行な２つの直線状に配列して表示させても良い。
【０１５９】
なお、表示領域ＡＲ４及び表示領域ＡＲ５は、表示部１１２の表示領域の全体ではなく、当該表示領域の一部として例えば表示部１１２の左下の所定の範囲であることが好ましい。これにより、ユーザは、例えば、片手（左手）による操作を簡単に行うことができる。
【０１６０】
これらの各座標に関するデータは、当該携帯電話機１００の表示制御部１１１の動作において予め規定されていても良い。又は、これらの各座標に関するデータは記憶部１１０に記憶されても良く、当該表示制御部１１１は当該各文字キーを円弧状または平行な２つの直線状に配列して表示する際、当該各座標に関するデータを当該記憶部１１０から読み出して表示領域ＡＲ４〜表示領域ＡＲ５を定めても良い。
【０１６１】
図１７において、座標（０，０）、座標（ｘ１，０）及び座標（０，ｙ１）で囲まれる表示領域ＡＲ６又はメニューアイコンＩＣｍに対して上述した入力操作のうち例えばタップ操作が行われた場合、当該携帯電話機１００は、第１の実施形態と同様に、メニュー選択入力画面への表示内容の切り替えを行う。
【０１６２】
また、図１７において、表示領域ＡＲ４に相当する表示領域内には、第１の文字群に属する文字を示すキーが表示され、表示領域ＡＲ５に相当する表示領域内には、第２の文字群に属する文字を示すキーが表示されている。
【０１６３】
図１７に示す様に、例えば円弧状に配列して選択可能に表示される各文字キーは、前述した第１の実施形態と同様に、表示部１１２の表示領域ＡＲ４に相当する表示領域内には、第１の文字群に属する文字を示す文字キーＭＪ（ｉ，ｊ，ｋ１，ｋ２）〜ＭＪ（ｉ，ｊ，ｋ１，ｋ２＋４）に対応する文字キーを、表示領域ＡＲ５に相当する表示領域内には、第２の文字群に属する文字を示す文字キーＭＪ（ｉ，ｊ）〜ＭＪ（ｉ，ｊ＋２）に対応する文字キーを選択可能に、円弧状に配列して表示する。円弧状に配列して表示される各文字キーは、当該各文字キーに対応する各文字キーの各文字ＩＤが連続する様にして表示される。
【０１６４】
例えば、メールアプリケーションを選択し、文字入力画面が起動された場合、制御部１０１は、第１の文字群に属する文字を示す文字キーＭＪ（ｉ，ｊ，ｋ１，ｋ２）〜ＭＪ（ｉ，ｊ，ｋ１，ｋ２＋４）および、第２の文字群に属する文字を示す文字キーＭＪ（ｉ，ｊ）〜ＭＪ（ｉ，ｊ＋２）を円弧状に配列して表示する様に表示制御部１１１に指示する。表示制御部１１１は、制御部１０１からの指示に応じて、図１７に示す様に、第１の文字群に属する文字を示す文字キーＭＪ（ｉ，ｊ，ｋ１，ｋ２）〜ＭＪ（ｉ，ｊ，ｋ１，ｋ２＋４）および、第２の文字群に属する文字を示す文字キーＭＪ（ｉ，ｊ）〜ＭＪ（ｉ，ｊ＋２）を円弧状に配列して表示する。これらの各文字キーは、上述した入力操作に応じて選択が可能である。
【０１６５】
また、第１の文字群に属する文字を示すキー及び第２の文字群に属する文字を示すキーは、前述した様に二重の円弧状に配列して表示させても、平行な２つの直線状に配列して表示させても良い。
【０１６６】
この様に、第１の実施形態の変形例２では、携帯電話機１００のユーザが例えば左利きである場合に当該ユーザが片手で操作し易くなる様に、表示制御部１１１は、第１の文字群に属する文字を示すキー及び第２の文字群に属する文字を示すキーを表示するための表示領域ＡＲ４及び表示領域ＡＲ５を定める。
【０１６７】
より詳細には、表示制御部１１１は、第１の文字群に属する文字を示すキーと、第２の文字群に属する文字を示すキーとを、表示部１１２の右下の一部の表示領域に配列して表示させる。このことにより、例えば、ユーザは、ユーザの左手の手のひらで携帯電話機１００の左下の角を支えた状態で左手だけで（片手で）操作しても、携帯電話機１００の下側が支えられているので、表示部１１２が斜めに傾いたり、携帯電話機１００を下に落としたりする心配をしないで安心して操作することができる。また、ユーザが、この状態で操作した場合に、操作しやすい位置に第１の文字群に属する文字を示すキーと、第２の文字群に属する文字を示すキーとメニューアイコンが表示されることになる。
【０１６８】
なお、上記の実施形態において、携帯電話機１００が、制御部１０１と表示制御部１１１という、複数の制御部を備える構成について説明したが、これに代えて、制御部１０１と表示制御部１１１との機能をひとつの制御部（または表示制御部と呼んでもよい）で実現させるような構成とすることもできる。
【産業上の利用可能性】
【０１６９】
本発明によれば、指の移動を少なくし、且つユーザが片手で簡単に文字入力を可能とすることができる。このため、本発明は、携帯端末装置、表示制御方法及び表示制御プログラム等として有用である。
【符号の説明】
【０１７０】
１００    携帯電話機
１０１    制御部
１０２    電源ボタン
１０３    電源回路部
１０４    音声制御部
１０５    スピーカ
１０６    マイク
１０７    通信制御部
１０８    入力制御部
１０９    タッチパネル
１１０    記憶部
１１１    表示制御部
１１２    表示部
１１３    アンテナ
ＭＪ（ｉ，ｊ，ｋ１，ｋ２）、ＭＪ（ｉ，ｊ）    文字キー
ＫＴ    文字キー情報
ＡＲ１〜ＡＲ６    表示領域
ＩＮ    入力文字表示領域
ＩＮｐ    入力文字の表示位置カーソル
ＩＣｍ    メニューアイコン
Ｗｔ    変換または確定待ち入力文字
【図１】
2013120968.tif 000003
【図２】
2013120968.tif 000004
【図３】
2013120968.tif 000005
【図４】
2013120968.tif 000006
【図５】
2013120968.tif 000007
【図６】
2013120968.tif 000008
【図７】
2013120968.tif 000009
【図８】
2013120968.tif 000010
【図９】
2013120968.tif 000011
【図１０】
2013120968.tif 000012
【図１１】
2013120968.tif 000013
【図１２】
2013120968.tif 000014
【図１３】
2013120968.tif 000015
【図１４】
2013120968.tif 000016
【図１５】
2013120968.tif 000017
【図１６】
2013120968.tif 000018
【図１７】
2013120968.tif 000019